【手続補正書】
【提出日】平成26年1月9日(2014.1.9)
【手続補正１】
【補正対象書類名】特許請求の範囲
【補正対象項目名】全文
【補正方法】変更
【補正の内容】
【特許請求の範囲】
【請求項１】
ネットワークを介して、送信機から当該送信機に接続された受信機へのデータ送信の方法であって、
確立手段が、前記ネットワークを介して前記送信機と前記受信機との間に複数の接続を確立し、
送出手段が、前記複数の接続を介してデータを分割して前記送信機から前記受信機に送出し、
チューニング手段が、データ送信に対するボトルネックが前記受信機のＩ／Ｏストレージシステムに存在することを検出した時に既存の接続を閉じ、前記ネットワークからデータを受信するよりも速く前記受信機の前記Ｉ／Ｏストレージシステムがデータを書き込んでいる時に新しい接続を開くことにより、前記送信機と前記受信機との間の接続をチューニングする
ことを特徴とする方法。
【請求項２】
前記Ｉ／Ｏストレージシステムはディスクを含み、接続の数をチューニングする場合、前記ディスクのシーク動作が前記受信機の前記Ｉ／Ｏストレージシステムに対して実行される時にデータ送信に対するボトルネックが前記受信機の前記Ｉ／Ｏストレージシステムに存在すると検出することを特徴とする請求項１に記載の方法。
【請求項３】
前記Ｉ／Ｏストレージシステムはディスクを含み、接続の数をチューニングする場合、前記ディスクへの書き込みが以前より遅くなっている時にデータ送信に対するボトルネックが前記受信機の前記Ｉ／Ｏストレージシステムに存在すると検出することを特徴とする請求項１に記載の方法。
【請求項４】
チューニングすることは、データ送信に対するボトルネックが前記ネットワークに存在することを前記送信機が検出する場合に前記送信機と前記受信機との間の既存の接続を前記送信機により閉じることを更に含むことを特徴とする請求項１に記載の方法。
【請求項５】
現在のラウンドトリップ時間（ＲＴＴ）が以前より長くなった場合、データ送信に対するボトルネックが前記ネットワークに存在すると検出することを特徴とする請求項４に記載の方法。
【請求項６】
前記送信機は、前記送信機におけるバッファに所定の空き領域がないことを検出する場合、新しい接続を開くための要求を前記受信機に送出するか、あるいは既に作成されているが現在データを送出するために使用されていない接続を利用することを特徴とする請求項１に記載の方法。
【請求項７】
前記受信機にデータを送出する複数の送信機が存在する場合、前記受信機は、前記他の送信機から要求された接続の数に基づいて前記送信機と前記受信機との間に確立されうる最大数の接続を設定することを特徴とする請求項１に記載の方法。
【請求項８】
前記複数の送信機の各々に優先度を割り当てることを更に備え、より多くの数の接続をより優先度の高い送信機に割り当てることを特徴とする請求項７に記載の方法。
【請求項９】
ネットワークを介した送信機から前記送信機に接続された受信機へのデータ送信の方法であって、
確立手段が、前記ネットワークを介して前記送信機と前記受信機との間に複数の接続を確立し、
送出手段が、前記複数の接続を介してデータを分割して前記送信機から前記受信機に送出し、
チューニング手段が、データが前記ネットワークを介して送出されているよりも速く前記送信機のＩ／Ｏストレージシステムがデータを読み出している時に新しい接続を開き、データが前記ネットワークを介して送出されているよりも遅く前記送信機の前記Ｉ／Ｏストレージシステムがデータを読み出しており且つ２つ以上の送信機がデータを前記受信機に送出している時に既存の接続を閉じることにより、前記送信機と前記受信機との間の接続の数をチューニングすることを特徴とする方法。
【請求項１０】
チューニングすることは、データ送信に対するボトルネックが前記ネットワークに存在することを前記送信機が検出する場合に前記送信機と前記受信機との間の既存の接続を閉じることを更に含むことを特徴とする請求項９に記載の方法。
【請求項１１】
チューニングすることは、ラウンドトリップ時間（ＲＴＴ）が以前より短縮されていると判定される場合に新しい接続を開くための要求を前記受信機に送出することを更に含むことを特徴とする請求項９に記載の方法。
【請求項１２】
ネットワークを介して送信機と受信機との間に複数の接続を確立する確立手段と、
前記複数の接続を介して分割して送出されたデータを前記送信機から受信する受信手段と、
データ送信に対するボトルネックが前記受信機のＩ／Ｏストレージシステムに存在することを検出した時に既存の接続を閉じ、前記ネットワークからデータを受信するよりも速く前記受信機の前記Ｉ／Ｏストレージシステムがデータを書き込んでいる時に新しい接続を開くことにより、前記送信機と前記受信機との間の接続をチューニングするチューニング手段とを含むことを特徴とする受信機。 
【請求項１３】
前記受信機にデータを送出する複数の送信機が存在する場合、前記他の送信機から要求された接続の数に基づいて前記送信機と前記受信機との間に確立されうる最大数の接続を設定する設定手段を更に含むことを特徴とする請求項１２に記載の受信機。
【請求項１４】
前記複数の送信機の各々に優先度を割り当てる割当手段を更に含み、より多くの数の接続をより優先度の高い送信機に割り当てることを特徴とする請求項１３に記載の受信機。
【請求項１５】
ネットワークを介して送信機と受信機との間に複数の接続を確立する確立手段と、
前記複数の接続を介してデータを分割して前記送信機から前記受信機に前記データを送出する送出手段と、
データが前記ネットワークを介して送出されているよりも速く前記送信機のＩ／Ｏストレージシステムがデータを読み出している時に新しい接続を開き、データが前記ネットワークを介して送出されているよりも遅く前記送信機の前記Ｉ／Ｏストレージシステムがデータを読み出しており且つ２つ以上の送信機がデータを前記受信機に送出している時に既存の接続を閉じることにより、前記送信機と前記受信機との間の接続をチューニングするチューニング手段とを含むことを特徴とする送信機。
【請求項１６】
前記チューニング手段は、データ送信に対するボトルネックが前記ネットワークに存在することを前記送信機が検出する場合に前記送信機と前記受信機との間の既存の接続を閉じることを特徴とする請求項１５記載の送信機。
【請求項１７】
前記チューニング手段は、ラウンドトリップ時間（ＲＴＴ）が以前より短縮されていると判定される場合に新しい接続を開くための要求を前記受信機に送出することを特徴とする請求項１５記載の送信機。
【請求項１８】
ネットワークを介して送信機と受信機との間に複数の接続を確立する確立手順と、
前記複数の接続を介して分割して送出されたデータを前記送信機から受信する受信手順と、
データ送信に対するボトルネックが前記受信機のＩ／Ｏストレージシステムに存在することを検出した時に既存の接続を閉じ、前記ネットワークからデータを受信するよりも速く前記受信機の前記Ｉ／Ｏストレージシステムがデータを書き込んでいる時に新しい接続を開くことにより、前記送信機と前記受信機との間の接続の数をチューニングするチューニング手順とをコンピュータに実行させるためのプログラム。
【請求項１９】
ネットワークを介して送信機と受信機との間に複数の接続を確立する確立手順と、
前記複数の接続を介してデータを分割して前記送信機から前記受信機に送出する送出手順と、
データが前記ネットワークを介して送出されているよりも速く前記送信機のＩ／Ｏストレージシステムがデータを読み出している時に新しい接続を開き、データが前記ネットワークを介して送出されているよりも遅く前記送信機の前記Ｉ／Ｏストレージシステムがデータを読み出しており且つ２つ以上の送信機がデータを前記受信機に送出している時に既存の接続を閉じることにより、前記送信機と前記受信機との間の接続をチューニングするチューニング手順とをコンピュータに実行させるためのプログラム。
【手続補正２】
【補正対象書類名】明細書
【補正対象項目名】発明の名称
【補正方法】変更
【補正の内容】
【発明の名称】データの送信方法、送信機、受信機、並びにプログラム